(57)【要約】【課題】干し物の型崩れを生じさせずに干し物の乾燥を促進することができ、かつこれを簡易な構成で実現できる物干し補助具を提供する。【解決手段】  本発明による物干し補助具は、水平方向に延びる干し物掛けに用いる物干し補助具であって、物干し補助具本体は、可撓性を有する平板より成り、物干し補助具本体は、物干し補助具本体を円筒形に屈曲して両端部を着脱自在に結合させる結合部と、複数の通気部とを備える。【選択図】図２
2019083894.tif 000002
【特許請求の範囲】
【請求項１】
水平方向に延びる干し物掛けに用いる物干し補助具であって、
物干し補助具本体は、可撓性を有する平板より成り、
前記物干し補助具本体は、該物干し補助具本体を円筒形に屈曲して両端部を着脱自在に結合させる結合部と、
複数の通気部とを備えることを特徴とする物干し補助具。
【請求項２】
請求項１に記載の物干し補助具において、
前記物干し補助具本体は、円筒形に屈曲した状態の複数の該物干し補助具本体を水平方向に着脱自在に連結させる連結部を備えることを特徴とする物干し補助具。
【発明の詳細な説明】
【技術分野】
【０００１】
本発明は、水平方向に延びる干し物掛けに用いる物干し補助具に関する。
【背景技術】
【０００２】
従前から、物干し竿、洗濯紐、ハンガーの水平部などの干し物掛けに取り付け、その上に布団、シーツ、タオルなどの干し物を掛けることで、該干し物の乾燥を促進することができる物干し補助具が知られている（例えば、特許文献１）。
【０００３】
特許文献１の物干し補助具は、該物干し補助具に設けられた穴に物干し竿をはめ込んで取り付ける円盤である。
【０００４】
この補助具を物干し竿に複数取り付け、その上に干し物を掛けることにより、折り返された干し物の内側に空間ができるため、干し物の乾燥を促進することができる。
【０００５】
また、内側に物干し竿を貫通させて用いる円筒形の物干し補助具も知られている（例えば、特許文献２）。
【０００６】
特許文献２のものにおいては、円筒形の物干し補助具の中心に物干し竿を貫通させて取り付け、該物干し補助具の上に干し物を掛けることにより、折り返した干し物の内側に空間ができるため、干し物の乾燥を促進することができる。
【先行技術文献】
【特許文献】
【０００７】
【特許文献１】特開２００３−２４６９３号公報
【特許文献２】意匠登録第１２５０２３３号
【発明の概要】
【発明が解決しようとする課題】
【０００８】
しかしながら、上記特許文献１の物干し補助具によれば、物干し竿に円盤が設置された部分と設置されていない部分との間では円盤のない空間ができるので円盤と円盤の間に大きな段差ができるため、その上にシーツ、タオルなどの干し物を掛けた場合、該干し物に凸凹の跡が残り干し物に型崩れを生じさせることがある。
【０００９】
そのため、型崩れした洗濯したシーツ、タオルを畳む際には畳みづらく、あるいはそれらを使用する際に見た目や手触りが悪いなどの不都合を生じる場合がある。
【００１０】
また、上記特許文献１の物干し補助具の円盤は、干し物を支えるための十分な厚みを有しており、物干し具を収納する際に大きなスペースをとる。
【００１１】
上記特許文献２のものでは、複数の円筒形の物干し補助具本体を重ねあわせた複雑な構造となっている。
【００１２】
そのため、物干し補助具の製造に手間がかかる。また、物干し補助具を収納する際に大きなスペースをとる。
【００１３】
さらに、円筒形の物干し補助具の中心に物干し竿を貫通させて設置する必要があるため、該物干し補助具の設置及び取り外しに手間がかかる。
【００１４】
これらに加え、上記特許文献１、特許文献２のいずれの物干し補助具も、径が一定である。そのため、長い干し物によっては干し掛けると該干し物の端が地面に擦れ、その部分の乾燥が阻害されたり、干し物が汚れるなどすることがある。
【００１５】
本発明の目的は、かかる従来技術の課題に鑑み、干し物の型崩れを生じさせずに干し物の乾燥を促進することができ、かつこれを簡易な構成で実現できる物干し補助具を提供することにある。
【課題を解決するための手段】
【００１６】
第１発明に係る物干し補助具は、
水平方向に延びる干し物掛けに用いる物干し補助具であって、
物干し補助具本体は、可撓性を有する平板から成り、
前記物干し補助具本体は、該物干し補助具本体を円筒形に屈曲して両端部を着脱自在に結合させる結合部と、
複数の通気部とを備えることを特徴とする。
【００１７】
第１発明の物干し補助具によれば、前記物干し補助具本体を円筒形に屈曲させて干し物掛けに設置するので、円筒形に屈曲した該物干し補助具本体上面半分に段差なく干し物を干し掛けることができるので、その上に掛けたシーツやタオルなどの干し物に型崩れを生じさせない。
【００１８】
また、前記物干し補助具を使用しない間は、平板にして保管できるため、複数枚を重ね合わせても物干し具を収納する際に大きなスペースをとる不都合を生じさせないので、容易に収納が可能である。
【００１９】
さらに、前記物干し補助具は、可撓性を有する平板の両端部に備えた結合部及び複数の通気部のみの簡易な構成である。通気部は打ち抜き成形したものや型成形したものであってもよい。
【００２０】
そのため、物干し補助具は、少ない手間で製造することができる。
【００２１】
また、前記物干し補助具本体は、可撓性を有する平板より成ることに加え、複数の通気部を備えているので、非常にたわみやすく、該物干し補助具本体を円筒形に屈曲させる際に都合がよい。
【００２２】
そのため、前記物干し補助具を干し物掛けに設置する際には、該物干し補助具を干し物掛けに乗せて、該干し物掛けの外周を囲むように該物干し補助具本体を円筒形に屈曲して両端部を結合させる動作のみで済むため、補助具の設置に手間がかからない。
【００２３】
さらに、第１発明の物干し補助具によれば、前記物干し補助具本体を円筒形に屈曲させて干し物掛けに設置するので、該物干し補助具の上で折り返された干し物の内側に空間ができる。
【００２４】
また、通気部を複数設けることにより、前記物干し補助具の使用状態において、干し物と該物干し補助具本体との接触面の面積が減り、その分該物干し補助具の上で折り返された干し物の内側において、干し物が外気に触れる面積が増加する。
【００２５】
さらに、例えば前記物干し補助具を２つ用い、一方の物干し補助具の結合部を他方の物干し補助具の結合部に結合させ、より大きな径の円筒を形成し、その上に干し物を干し掛けることができる。
【００２６】
これにより、一つの物干し補助具を用いる場合に比べ、より大きな径の物干し補助具として用いることができるので、その上に浴衣の帯などの長い干し物をかけても、該干し物の端が地面などに擦れてその乾燥を阻害することをなくすることができる。  これらのことにより、前記物干し補助具に干し掛けた干し物の乾燥を促進することができる。
【００２７】
これに加え、一定の勢いをつけて干し物を引き込むことで、前記物干し補助具本体が干し物掛け上で回転するため、干し物掛けに直接干し物を掛けた場合に比べ、少ない力で該干し物を取り込むことが可能となり、干し物を取り込む際の労力が軽減される。
【００２８】
同様に、干し物を干し掛ける際には、前記物干し補助具本体を回転させながら干し掛けることができるので、干し物掛けに直接干し物を掛ける場合に比べ、少ない力で該干し物を干し掛けることが可能となり、干し物を干し掛ける際の労力が軽減される。
【００２９】
このように、第１発明による物干し補助具によれば、干し物の型崩れを生じさせずに干し物の乾燥を促進することができ、かつこれを簡易な構成で実現できる物干し補助具を提供できる。
【００３０】
また、物干し補助具の製造の手間が軽減され、物干し具の収納スペースの軽減が図られ、補助具の設置時の手間が軽減される。
【００３１】
これに加え、第１発明の物干し補助具によれば、干し物の取り込みや干し掛ける際の労力も軽減できる。
【００３２】
第２発明に係る物干し補助具は、第１発明において、前記物干し補助具本体は、前記結合部により結合して円筒形に屈曲した状態の複数の該物干し補助具本体を水平方向に着脱自在に連結させる連結部を備えることを特徴とする。
【００３３】
第２発明によれば、屈曲した状態の複数の該物干し補助具本体を水平方向に着脱自在に連結させることができる。
【００３４】
そのため、２つ以上の物干し補助具本体を水平方向に連結させることで、任意の干し物の幅に合わせることができるので、幅が広い干し物を干し掛けても型崩れを生じさせない。
【００３５】
また、幅が広い干し物を干し掛けた場合でも該物干し補助具の上で折り返された干し物の内側に空間ができ、干し物の乾燥を促進することができる。
【００３６】
さらに、前記物干し補助具が互いに連結されているので、該物干し補助具の間に隙間ができないように設置する際の手間が軽減される。
【００３７】
このように、第２発明による物干し補助具によれば、幅の広い干し物であっても効果的にその型崩れを生じさせずに干し物の乾燥を促進することができ、かつこれを簡易な構成で実現できる物干し補助具を提供できる。
【図面の簡単な説明】
【００３８】
【図１】本実施形態の物干し補助具の収納時の状態を表す斜視図。
【図２】本実施形態の物干し補助具の使用状態を示す斜視図。
【図３】本実施形態の物干し補助具の使用状態の変更例を示す斜視図。
【図４】本実施形態の物干し補助具の変更例を示す斜視図。
【図５】本実施形態の物干し補助具の変更例の使用状態を示す斜視図。
【図６】本実施形態の物干し補助具の変更例の使用状態を示す斜視図。
【発明を実施するための形態】
【００３９】
まず、図１を参照して、本実施形態の物干し補助具の収納時の状態について説明する。
【００４０】
図１は、本実施形態の物干し補助具の収納時の状態を示している。
【００４１】
本実施形態の物干し補助具本体１は、可撓性のある合成樹脂からなる平板より成り、一対の結合部２Ａ、２Ｂと、複数の通気部３とを備える。
【００４２】
一対の結合部２Ａ、２Ｂは、その一方を一端部結合部２Ａ、他方を他端部結合部２Ｂとする。一端部結合部２Ａと他端部結合部２Ｂとは、例えば面ファスナーなどで構成され、相互に着脱自在に結合することができる。
【００４３】
一対の結合部２Ａ、２Ｂは、例えば物干し補助具本体１を円筒形に屈曲し、物干し補助具本体１の両端部を重ねあわせた際に相互に向かい合うように設けられる。
【００４４】
図１においては、一端部結合部２Ａは物干し補助具本体１の表面４に３つ、他端部結合部２Ｂは物干し補助具本体１の裏面５に３つそれぞれ設けられている。
【００４５】
あるいは、物干し補助具本体１を円筒形に屈曲した際に相互に向かい合う物干し補助具本体１の両端部の側面に一対の結合部を２Ａ、２Ｂを設けることとしてもよい。
【００４６】
複数の通気部３は、その中を外気が通り抜けることができる。通気部は打ち抜き成形したものや型成形したものであってもよい。
【００４７】
本実施形態の物干し補助具は、可撓性を有する平板の両端部に備えた一対の結合部２Ａ、２Ｂ及び複数の通気部３のみの簡易な構成である。
【００４８】
そのため、物干し補助具は、少ない手間で製造することができる。
【００４９】
また、物干し補助具を使用しない間は、平板にして保管できるので、複数枚を重ね合わせた場合であっても物干し補助具を収納する際に大きなスペースをとる不都合を生じさせず、容易に収納が可能である。
【００５０】
また、物干し補助具本体１は、表面４側、裏面５側のいずれの側にも屈曲させて円筒形とすることができるので、一面側にのみ屈曲させることによる丸め癖が生じる可能性を軽減できる。
【００５１】
次に、図２を参照して、本実施形態の物干し補助具の使用状態について説明する。
【００５２】
物干し補助具の使用状態においては、まず物干し補助具本体１を物干し竿、洗濯紐、ハンガーの水平部などの干し物掛け６に乗せ、干し物掛け６の外周を囲むように物干し補助具本体１を円筒形に屈曲させる。
【００５３】
その後に、一端部結合部２Ａと他端部結合部２Ｂとを結合させ、物干し補助具本体１を円筒形に屈曲させた状態を維持する。
【００５４】
この状態の物干し補助具を用いることにより、円筒形に屈曲した該物干し補助具本体上面半分に段差なく干し物９を干し掛けることができるので、その上に掛けたシーツやタオルなどの干し物９に型崩れを生じさせない。
【００５５】
また、物干し補助具本体１は、可撓性を有する平板より成ることに加え、複数の通気部３を備えているので、非常にたわみやすく、干し補助具本体１を円筒形に屈曲させる際に都合がよい。
【００５６】
そのため、物干し補助具を干し物掛け６に設置する際には、干し補助具本体１を干し物掛け６に乗せて、該干し物掛け６の外周を囲むように該物干し補助具本体１を円筒形に屈曲して両端部を結合させる動作のみで済むため、補助具の設置に手間がかからない。
【００５７】
また、本実施形態の物干し補助具によれば、物干し補助具の上で折り返された干し物の内側７に空間ができる。
【００５８】
さらに、物干し補助具本体１に複数の通気部３を設けることにより、物干し補助具の使用状態において、干し物９と干し補助具本体１との接触面の面積が減り、その分該物干し補助具の上で折り返された干し物の内側７において、干し物９が外気に触れる面積が増加する。
【００５９】
これらのことにより、干し物９の乾燥を促進することができる。
【００６０】
これに加え、一定の勢いをつけて干し物９を引き込むことで、物干し補助具本体１が干し物掛け６上で回転するため、干し物掛け６に直接干し物９を掛けた場合に比べ、少ない力で該干し物９を取り込むことが可能となり、干し物９を取り込む際の労力が軽減される。
【００６１】
同様に、干し物９を干し掛ける際には、前記物干し補助具本体１を回転させながら干し掛けることができるので、干し物掛けに直接干し物９を掛ける場合に比べ、少ない力で該干し物９を干し掛けることが可能となり、干し物９を干し掛ける際の労力が軽減される。
【００６２】
なお、物干し補助具に掛けた干し物９が風等により吹き飛ばされることを防止するため、一つ以上のピンチなどにより干し物９と物干し補助具本体１とを挟み込むように固定することが望ましい。
【００６３】
このように、本実施形態の物干し補助具によれば、干し物９の型崩れを生じさせずに干し物９の乾燥を促進することができ、かつこれを簡易な構成で実現できる物干し補助具を提供できる。
【００６４】
また、物干し補助具の設置時の手間が軽減される。
【００６５】
これに加え、本実施形態の物干し補助具によれば、干し物９の取り込みや干し掛ける際の労力も軽減できる。
【００６６】
次に、図３を参照して本実施形態の物干し補助具の使用状態の変更例について説明する。  本実施形態の物干し補助具によれば、長い干し物９を乾かす場合には、物干し補助具１を複数個結合させて用いることができる。
【００６７】
この場合は、例えば前記物干し補助具を２つ用い、一方の物干し補助具の結合部を他方の物干し補助具の結合部に結合させ、より大きな径の円筒を形成し、干し物掛けに設置する。
【００６８】
これにより、一つの物干し補助具を用いる場合に比べ、より大きな径の物干し補助具として用いることができるので、その上に浴衣の帯などの長い干し物９をかけても、該干し物９の端が地面などに擦れてその乾燥を阻害したり、汚れたり傷んだりする可能性が軽減される。
【００６９】
また、結合させる物干し補助具の数を増やすことで、さらに大きな径の物干し補助具として用いてもよい。
【００７０】
このように、本実施形態の物干し補助具によれば、浴衣の帯などの長い干し物９であっても、型崩れを生じさせずに干し物９の乾燥を促進することができ、かつこれを簡易な構成で実現できる物干し補助具を提供できる。
【００７１】
以上、本発明の実施形態について説明したが、本発明はこれに限定されない。
【００７２】
以下、図４〜６を参照して、本実施形態の物干し補助具の変更例について説明する。なお、同一の構成については、同一の符号を付して、説明を省略することがある。
【００７３】
図４は、本実施形態の物干し補助具の変更例を示している。
【００７４】
本実施形態の変更例の物干し補助具本体１は、平板より成り、一対の結合部８Ａ、８Ｂと、複数の通気部３と、一対の連結部８Ｃ、８Ｄとを備える。
【００７５】
一対の結合部は、例えばフック状の結合用係合部８Ａと、孔状の結合用係合受け部８Ｂとで構成される。結合用係合部８Ａと結合用係合受け部８Ｂとは、着脱自在に係合できる。
【００７６】
結合用係合部８Ａ、結合用係合受け部８Ｂは、例えば物干し補助具本体１を円筒形に屈曲し、物干し補助具本体１の両端部を重ねあわせた際に相互に向かい合うように設けられる。
【００７７】
一対の連結部は、例えばフック状の連結用係合部８Ｃと、孔状の連結用係合受け部８Ｄとで構成される。
【００７８】
連結用係合部８Ｃと連結用係合受け部８Ｄとは、屈曲した状態の複数の物干し補助具本体１を水平方向に着脱自在に連結させることができる。
【００７９】
連結用係合部８Ｃと連結用係合受け部８Ｄとは、複数の物干し補助具を物干し掛け６に水平方向に並べて設置した際に、相互に係合できるように設けられる。
【００８０】
図４においては、結合用係合部８Ａは物干し補助具本体１の一方の端部の表面４に３つ、結合用係合受け部８Ｂは物干し補助具本体１の他方の端部に３つそれぞれ設けられている。
【００８１】
また、連結用係合部８Ｃは物干し補助具本体１の一方の側部の表面４に３つ、連結用係合受け部８Ｄは物干し補助具本体１の他方の側部に３つそれぞれ設けられている。
【００８２】
本実施形態の物干し補助具は、可撓性を有する平板の両端部に備えた一対の結合部８Ａ、８Ｂ、両側部に備えた一対の連結部８Ｃ、８Ｄ、及び複数の通気部３のみの簡易な構成である。
【００８３】
そのため、物干し補助具は、少ない手間で製造することができる。
【００８４】
このように、本実施形態の物干し補助具によれば、簡易な構成の物干し補助具を提供できる。
【００８５】
図５は、本実施形態の物干し補助具の変更例の使用状態を説明する斜視図である。
【００８６】
本実施形態の物干し補助具の変更例の使用状態においては、例えば２つの物干し補助具を用いる。
【００８７】
まず第１の物干し補助具本体１を干し物掛け６に乗せ、干し物掛け６の外周を囲むように第１の物干し補助具本体１を円筒形に屈曲させる。
【００８８】
その後に、第１の物干し補助具の結合用係合部８Ａと結合用係合部８Ｂとを係合させ、物干し補助具本体１を円筒形に屈曲させた状態を維持する。
【００８９】
続いて、第２の物干し補助具についても、第１の物干し補助具と同一の工程により、第１の物干し補助具と水平方向に隣り合うように物干し掛け６に設置する。
【００９０】
そしてさらに、例えば第２の物干し補助具の連結用係合部８Ｃを、第１の物干し補助具の連結用係合受け部８Ｄと係合させ、第１の物干し補助具と、第２の物干し補助具とを連結させる。
【００９１】
２つ以上の物干し補助具本体１を水平方向に連結させることで、任意の干し物９の幅に合わせることができるので、幅が広い干し物９を干し掛けても型崩れを生じさせない。
【００９２】
また、幅が広い干し物９を干し掛けた場合でも物干し補助具の上で折り返された干し物の内側７に空間ができ、干し物９の乾燥を促進することができる。
【００９３】
さらに、前記物干し補助具が水平方向にずれることを容易に防止できるので、該物干し補助具の間に隙間ができないように設置する際の手間が軽減される。
【００９４】
このように、本実施形態の物干し補助具の変更例によれば、幅の広い干し物９であっても効果的にその型崩れを生じさせずに干し物９の乾燥を促進することができ、かつこれを簡易な構成で実現できる物干し補助具を提供できる。
【００９５】
次に、図６は、本実施形態の物干し補助具の変更例の使用状態である。
【００９６】
本実施形態の物干し補助具の変更例によれば、長い干し物９を乾かす場合には、水平方向に複数連結させるとともに、さらに物干し補助具を複数個結合させて用いることができる。
【００９７】
この場合は、例えば前記物干し補助具を４つ用いる。
【００９８】
まず第１の物干し補助具の結合用係合部８Ａを第２の物干し補助具の結合用係合部８Ｂに、また第１の物干し補助具の結合用係合部８Ｂを第２の物干し補助具の結合用係合部８Ａにそれぞれ係合させ、より大きな径の円筒を形成し、干し物掛けに設置する。
【００９９】
続いて、第３・４の物干し補助具についても、第１・２の物干し補助具と同一の工程により、第１・２の物干し補助具により形成した大きな径の物干し補助具と水平方向に隣り合うように物干し掛け６に設置する。
【０１００】
そしてさらに、例えば第３・４の物干し補助具の連結用係合部８Ｃを、第１・２の物干し補助具の連結用係合受け部８Ｄと係合させ、第１・２の物干し補助具により形成した大きな径の物干し補助具と、第３・４の物干し補助具により形成した大きな径の物干し補助具とを連結させる。
【０１０１】
これにより、任意の干し物９の幅に合わせることができ、かつより大きな径の物干し補助具として用いることができるので、幅が広く、長い干し物９を干し掛けても型崩れを生じさせず、該干し物９の端が地面などに擦れてその乾燥を阻害したり、汚れたり傷んだりすることを防止できる。
【０１０２】
このように、本実施形態の物干し補助具によれば、幅が広く、長い干し物９を干し掛けても型崩れを生じさせずに干し物９の乾燥を促進するとができ、かつこれを簡易な構成で実現できる物干し補助具を提供できる。
【０１０３】
なお、連結及び結合させる物干し補助具の数を増やすことで、さらに大きな径とより広い幅を有する物干し補助具として用いてもよい。
【０１０４】
以上、物干し補助具の構成について一通り説明したが、物干し補助具本体の大きさや可撓性の度合は、変更してさまざまな大きさや重さの干し物９を掛けることができるようにしてもよい。
【０１０５】
そのような構成とすることで、タオルなどの小さな干し物９を乾かす場合や、敷布団やマットレスなどの大きくて重いものを乾かす際にも、本発明による物干し補助具を使用し、それらの乾燥を促すことができる。
【符号の説明】
【０１０６】
１…物干し補助具本体、２Ａ…一端部結合部、２Ｂ…他端部結合部、３…通気部、４…表面、５…裏面、６…干し物掛け、７…折り返された干し物の内側、８Ａ…結合用係合部、８Ｂ…結合用係合受け部、８Ｃ…連結用係合部、８Ｄ…連結用係合受け部、９…干し物。
【図１】
2019083894.tif 000003
【図２】
2019083894.tif 000004
【図３】
2019083894.tif 000005
【図４】
2019083894.tif 000006
【図５】
2019083894.tif 000007
【図６】
2019083894.tif 000008
【手続補正書】
【提出日】平成30年4月19日(2018.4.19)
【手続補正１】
【補正対象書類名】特許請求の範囲
【補正対象項目名】請求項１
【補正方法】変更
【補正の内容】
【請求項１】
水平方向に延びる干し物掛けに用いる物干し補助具であって、
物干し補助具本体は、可撓性を有する方形状の平板より成り、
前記物干し補助具本体を円筒形に屈曲した状態に両端部を着脱自在に結合させる結合部と、
複数の通気部とを備え、
前記物干し補助具本体を円筒形に屈曲して前記結合部を結合させた後にその結合を解いた際には平板の状態となるように構成され、
円筒形に屈曲した際に周方向となる方向の長さは、円筒形に屈曲した際の内径が前記干し物掛けの外径よりも大径となるように構成され、
円筒形にして前記干し物掛けに設置したとき、前記干し物掛けに対して回動自在であって、
必要に応じて、複数の前記物干し補助具本体を、互いの前記結合部を結合させて連接し円筒形に屈曲した状態においては、内径が拡径した円筒形となるように該結合部が該物干し補助具本体に設けられていることを特徴とする物干し補助具。
【手続補正２】
【補正対象書類名】明細書
【補正対象項目名】００１６
【補正方法】変更
【補正の内容】
【００１６】
第１発明に係る物干し補助具は、
水平方向に延びる干し物掛けに用いる物干し補助具であって、
物干し補助具本体は、可撓性を有する方形状の平板より成り、
前記物干し補助具本体を円筒形に屈曲した状態に両端部を着脱自在に結合させる結合部と、
複数の通気部とを備え、
前記物干し補助具本体を円筒形に屈曲して前記結合部を結合させた後にその結合を解いた際には平板の状態となるように構成され、
円筒形に屈曲した際に周方向となる方向の長さは、円筒形に屈曲した際の内径が前記干し物掛けの外径よりも大径となるように構成され、
円筒形にして前記干し物掛けに設置したとき、前記干し物掛けに対して回動自在であって、
必要に応じて、複数の前記物干し補助具本体を、互いの前記結合部を結合させて連接し円筒形に屈曲した状態においては、内径が拡径した円筒形となるように該結合部が該物干し補助具本体に設けられていることを特徴とする。